(57)【要約】  【課題】    供給された水を受け入れるノズル本体と、前記ノズル本体をカバーする把持筒と、供給された水を水形を選択して吐出可能な吐出部とを備えた散水ノズルにおいて、水形切替の基準表示を設ける際のコストを削減するとともに、基準表示の長寿命化を図る。  【解決手段】    カバーとなる把持筒に水形切替の基準表示となる基準孔を、ノズル本体側に前記基準孔に係合する突起部を設け、ノズル本体側の突起部と基準孔の係合を行った際に前記基準孔から前記突起部の表面が露出するようにし、露出した突起部の表面を水形切替の基準表示として用いる。【選択図】        図２
2006043583.tif 000002
【特許請求の範囲】
【請求項１】
供給された水を受け入れるノズル本体と、供給された水を吐出する吐出部と、ノズル本体に組みつけられてノズル本体をカバーする把持筒とを備えた散水ノズルにおいて、該把持筒に基準孔を穿設するとともに該ノズル本体に該基準孔と係合する突起部を設け、該基準孔と該突起部により把持筒とノズル本体を係合させるとともに散水ノズルの吐出状態を識別するための基準表示を形成した散水ノズルの係合・表示構造。
【請求項２】
前記吐出部は水形切替および／または止水が可能であり、吐出部側に設けられた表示と前記基準表示とを位置合わせすることで水形切替および／または吐止水を選択することを特徴とする請求項１記載の散水ノズル。
【請求項３】
前記突起部が、基部と、水平部と、表示部とからなる鉤状突起部
であることを特徴とする、請求項１または２記載の散水ノズル。
【請求項４】
前記突起部が、下垂部を有する
ことを特徴とする、請求項３記載の散水ノズル。
【発明の詳細な説明】
【技術分野】
【０００１】
本発明は、ホースの先端に取り付けて散水作業を行う散水ノズルに関する。
【背景技術】
【０００２】
従来の散水ノズルでは、図８に示すように、内部の通水路（図示せず）を筒状のグリップ部１０によってカバーしている。従来の散水ノズルにおける吐出水形の切替方法は、吐出部１１を回転させて、吐出部１１の外周に印刷された散水状態を表示する水形表示マーク１１ａとＳＥリング１２に印刷された切替基準表示１３とを合わせることにより、所望の吐出水形を選択できるというものであった（特許文献１）。
また、少なくともノズルヘッドの上半部を被覆するように密圧着したカバー体に表示窓を開設し、カバー体の表示窓部分から前記水形表示マークの表示を行わせるようにしたものもある（特許文献２）。
また、特許文献１におけるＳＥリング１２の形成箇所に本体と一体化したリング状の部材と、特許文献１における切替基準表示１３の役割を果たす透孔を設けた突片を突設させることにより切替基準表示を設けたものもある（特許文献３）。
【０００３】
【特許文献１】特開平０６−２７７５６５号公報
【特許文献２】実登３０７０５３８号公報
【特許文献３】特開２００３−１８１３２７号公報
【０００４】
〔従来技術の問題点〕
従来の、切替基準表示１３を印刷により表示していた場合（特許文献１）では、印刷工程ばかりでなく、印刷の漏れやミスがないか確認する検査工程も必要であり、人件費や材料費でコスト高となるため、製品を市場に安価に提供できないという問題があった。さらに、使用時においては紫外線や物理的磨耗等で印刷面が消滅する問題があった。
また、表示窓を開設したカバー体を密圧着させる構造（特許文献２）では、切替基準表示へのチリやホコリの付着は防げるものの、水形を表示する文字や絵などの軸方向の印刷誤差が許されないなどの問題があった。また、カバー体の内面に砂などの異物がかみこまれてしまうと、文字や絵などが削られてしまう恐れがあった。
さらに、本体と一体化したリング状の部材と突片を突設させる構造（特許文献３）では、リング状部材及び突片が邪魔になってカバーを組み付けることが困難となっていた。また、散水ノズルの表面にリング部や突片が現れることが避けられないため、デザイン上の制約が生じていた。
【発明の開示】
【発明が解決しようとする課題】
【０００５】
従来では、カバーを組み付ける散水ノズルに関して、カバーの抜け止めと基準表示の形成を同時に行うことのできる散水ノズルは存在しなかった。本発明の課題は、基準表示の長寿命化を果たし、かつ製造コストを削減するとともにデザインの自由度を向上させたノズルの基準表示構造を提供することにある。
【課題を解決するための手段】
【０００６】
前記課題を達成するため具体的に構成した本発明の散水ノズルにおける第１の発明は、供給された水を受け入れるノズル本体と、供給された水を吐出する吐出部と、ノズル本体に組みつけられてノズル本体をカバーする把持筒とを備えた散水ノズルにおいて、該把持筒に基準孔を穿設するとともに該ノズル本体に該基準孔と係合する突起部を設け、該基準孔と該突起部により把持筒とノズル本体を係合させるとともに散水ノズルの吐出状態を識別するための基準表示を形成したことを特徴とする。
また、第２の発明は、第１の発明において、前記吐出部が水形切替および／または止水が可能であり、吐出部側に設けられた表示と前記基準表示とを位置合わせすることで水形切替および／または吐止水を選択することを特徴とする。
また、第３の発明は、前記突起部が、基部と、水平部と、表示部とからなる鉤状突起部であることを特徴とする。
また、第４の発明は、第３の発明において、前記突起部が下垂部を有することを特徴とする。
【発明の効果】
【０００７】
以上のように、本発明の散水ノズルにおける第１の発明は、供給された水を受け入れるノズル本体と、供給された水を吐出する吐出部と、ノズル本体に組みつけられてノズル本体をカバーする把持筒とを備えた散水ノズルにおいて、該把持筒に基準孔を穿設するとともに該ノズル本体に該基準孔と係合する突起部を設け、該基準孔と該突起部により把持筒とノズル本体を係合させるとともに散水ノズルの吐出状態を識別するための基準表示を形成したことにより、把持筒の抜け止めと基準表示の形成が同時に行える。また、基準表示以外を表面に現す必要がないため、デザインの自由度が向上する。さらに、単なる基準孔ではなく突起部が入り込むため、基準表示が見やすくなるとともに、前記基準孔からノズル内部への異物の混入などが防がれる。
【０００８】
第２の発明では、第１の発明において、前記吐出部は水形切替および／または止水が可能であり、吐出部側に設けられた表示と前記基準表示とを位置合わせすることで水形切替および／または吐止水を選択するようにしたため、吐出部側を操作することで水形選択または吐止水選択が行える散水ノズルにおいて、把持筒の抜け止めと水形切替の基準表示の形成が同時に行えることとなる。また、基準表示以外を表面に現す必要がないため、デザインの自由度が向上する。さらに、単なる基準孔ではなく突起部が入り込むため、基準表示が見やすくなるとともに、前記基準孔からノズル内部への異物の混入などが防がれる。
【０００９】
第３の発明では、前記突起部を、基部と、水平部と、表示部からなる鉤状突起部として形成したので、突起部が弾性を有する鉤形状となる。このため、把持筒をノズル本体に嵌めこむ際に鉤状突起部もしくは把持筒が破損することが防止される。また、ノズル本体と把持筒の係合を、弾性を有する鉤状突起部が元の形状に復元する際の係合音や係合感で確認することができる。
【００１０】
第４の発明では、前記突起部を、基部と、水平部と、表示部とから形成すると共に、表示部に下垂部を設けている。このため、把持筒を組付ける前の通水部またはノズル本体を多数保管するなどした際に、通水部の突起部同士が引っかかることがない。このため、組立の際に部品を個別に取り出しやすくなり、作業性が向上する。
【発明を実施するための最良の形態】
【００１１】
以下、図面を参照しながら、本発明の実施の形態を説明する。なお、この実施形態は、発明の趣旨をより良く理解させるため具体的に説明するものであり、特に指定のない限り、特許請求の範囲の記載事項を限定するものではない。
【００１２】
〔構成〕
散水ノズル１は、図１、図２に示すように、供給された水の散水状態を、棒状、コーン状、霧状、シャワー状又は止水などに切替える吐出部２と、ホース側から供給される水の受入部となるノズル本体３、図２に見られる弁体収容部９に設けられた弁体（図示せず）を操作する操作レバー４とからなる。なお、水形を切替える際の切替え方法は、特許文献１と同様に、吐出部２を回転させ、表示マーク２ａを基準表示に合わせることにより行う。
【００１３】
散水ノズル１の全体形状は、図１、図２に示すように、吐出部２とノズル本体３に組み付けられた把持筒８とにより略Ｔ字状の形状をなし、把持筒８は、取付けられた操作レバー４と共に握ったときの掌側に形成された形状に似た外形の把持部、いわゆるピストルグリップを形成する。
【００１４】
吐出部２は先端部に多数の小孔を穿設した散水口５を有する。ノズル本体３は、図２に示すように、下部には水を供給するホース（図示せず）を接続する接続口６が、操作レバー４の背面には弁体収容部９が、上部の吐出部２との接続部分には通水部７がそれぞれ形成され、このノズル本体３に把持筒８が覆い被さった構造となっている。弁体収容部９の下端に設けられた切欠９１は、後述する把持筒下方突起８３との係合溝である。
【００１５】
図３に示すように、通水部７は、散水ノズル１のピストル形状と略同様のへの字形状となっており、上部に鉤状突起部７２を有する。鉤状突起部７２は、通水部７の上部から立ち上がる基部７２ａと、吐出部２側に水平に移行する水平部７２ｂと、把持筒８と係合して天面をノズル表面に表す、水平部７２ｂよりも一段高く盛り上がった表示部７２ｃとの構成によって、図３（ｂ）に示すような上面視二等辺三角形の鉤形状をしており、表示部７２ｃから垂下する壁状の下垂部７２ｄが鉤の先端部を封鎖するような形状となっている。また、図３（ｂ）、（ｃ）に示すように、通水部７の両側面には、通水部側斜面７３ａを有する突起７３を設ける。図３（ｆ）の下部に設けられた溝７４は、弁体収容部９との係合用溝である。
通水部７は、上流側が弁体収容部９と接合され、下流側が吐出部２側と接合された後に、把持筒８の組み付けが行われる。
【００１６】
把持筒８は、図４に示すように、操作レバー４側の面が開口された、散水ノズル１のピストル形状と略同様のへの字形状となっており、断面が一部開口の略円形状である。また、把持筒８は、天井面前端に前記通水部７の鉤状突起部７２に係合可能な基準孔８１が穿設された円形部８ａ、断面略Ｕ字状で両側面に飾り溝８４が刻設された把持筒グリップ部８ｂ、円形部８ａと把持筒グリップ部８ｂの中間に存在し、前記突起７３と当接する位置に側端部８５を有する中間部８ｃから構成される。
円形部８ａと中間部８ｃの境界部分の内面には段差部８２が形成され、さらに、図４の（ｅ）、（ｆ）に示すように、側端部８５から段差部８２にかけて徐々に形状を曲面から段差へと移行させていく把持筒側斜面８２ａが形成されている。また、把持筒グリップ部８ｂの下端には、図２に示された前記弁体収容部９の切欠９１に係合可能な把持筒下方突起８３が設けられている。
【００１７】
把持筒８をノズル本体３に組付ける際の手順は、図２に示す矢印の方向で、把持筒８をノズル本体３の上方からノズル本体３に接近させる。するとまず、中間部８ｃの側端部８５が通水部７の通水部側斜面７３ａに接触する。さらに押圧すると、通水部側斜面７３ａと、把持筒側斜面８２ａとが接触し、把持筒８は突起７３を乗り越えるために弾性変形して拡開する。
【００１８】
その後、図７（ａ）に示すように、円形部８ａの天井面が前記通水部７の鉤状突起部７２の表示部７２ｃに接触し、表示部７２ｃが円形部８ａの天井面によって押圧されることで、図７（ｂ）に示すように、鉤状突起部７２の水平部７２ｂが下方に弾性変形し、鉤状突起部７２全体が下方に撓んだ状態となる。
【００１９】
さらに押圧を続けると、鉤状突起部７２の表示部７２ｃが、把持筒８の基準孔８１と係合することにより、図７（ｂ）のように下方に撓んでいた鉤状突起部７２が図７（ｃ）に示すように上方に復元し、把持筒８の基準孔８１から鉤状突起部７２の表示部７２ｃの表面が現れることとなる。同時に、拡開していた中間部８ｃが通水部７の突起７３を乗り越え復元する。この際、図７（ｄ）に示すように、通水部７の突起７３が把持筒８の段差部８２に乗り上げて係合した状態となる。同時に、図７（ｅ）に示すように、把持筒グリップ部８ｂの把持筒下方突起８３が弁体収容部下端の切欠９１に滑り込んで係合する。
【００２０】
以上のように、把持筒８の組付けが完了した時点では、図１に示すように、基準孔８１から表示部７２ｃを覗かせることによって水形切替の基準表示が設けられた状態となる。なお、本実施例においては、通水部７と把持筒８とを異なる色で成形し、基準孔８１から色の異なる表示部７２ｃを覗かせることで、基準表示の位置をより明確にすることが望ましい。
【００２１】
また、把持筒８は、図７の（ｃ）、（ｄ）、（ｅ）に示すように、通水部７の上面、左側面、右側面、弁体収容部９下端の右側面、左側面の５点で係合された状態となり、鉤状突起部７２と基準孔８１との係合によって水平方向の動きが規制され、突起７３と段差部８２との係合によって垂直方向の動きが規制される。また、把持筒下方突起８３と切欠９１との係合によって、把持筒グリップ部８ｂ側の動きも規制される。
【００２２】
また、把持筒８が組み付けられる前の散水ノズル１の仕掛品を多数保管する際には、通水部７の鉤状突起部７２が他の通水部７の空間７５に入ってしまうことで、鉤状突起部７２同士が引っかかりあい、仕掛品が取り出しにくかったり、鉤状突起部７２が破損したりするおそれがあるが、下垂部７２ｄが表示部７２ｃから垂下していることにより、鉤状突起部７２の先端が空間７５に入り込むことが防止される。
【００２３】
〔別態様〕
本願発明における係合による基準表示構造は、本願発明における把持筒のごときカバー部を有する流体吐出機器に応用可能である。また、本願実施例では、基準孔８１を、複数の水形を切替える際の基準表示として利用したが、例えば、単純な吐水・止水切替の基準表示として用いたり、じょうろ等のように、吐出口を切替えることはできないが吐出ヘッドの首振り等によって吐出状態を変化させることの可能な散水具において、吐出ヘッドの表示と上流側の表示とを位置合わせすることで吐出ヘッドの正位置を表示する基準表示として用いても問題無い。
また、本願実施例のノズルは吐出部を回転させることで複数の散水状態で水を噴射させるが、その他の水形切替構造を有する流体吐出機器に応用しても何ら問題ない。また、基準表示の位置や形状は、特許請求の範囲を逸脱しない範囲で変更可能である。例えば、請求項１に関しては、基準孔８１の形状は三角形でなく、丸型・星型などに変更可能である。
また、本願では、散水ノズルの天面に基準表示を設けたが、基準表示の位置は、表示マークとの位置あわせを行える位置であれば、散水ノズルの側面やその他の場所であっても問題無い。
【図面の簡単な説明】
【００２４】
【図１】本発明の実施態様による散水ノズル１の斜視図である。
【図２】同上実施態様における散水ノズル１の、ノズル本体と把持筒との係合構造を示す分解図である。
【図３（ａ）】同上実施態様における通水部７の構成を示す斜視図である。
【図３（ｂ）】同上実施態様における通水部７の構成を示す平面図である。
【図３（ｃ）】同上実施態様における通水部７の構成を示す正面図である。
【図３（ｄ）】同上実施態様における通水部７の構成を示す側面図である。
【図３（ｅ）】同上実施態様における通水部７の構成を示す、図３（ｂ）におけるＡ―Ａ線に沿う断面図である。
【図３（ｆ）】同上実施態様における通水部７の構成を示す、図３（ｃ）におけるＢ―Ｂ線に沿う断面図である。
【図４（ａ）】同上実施態様における把持筒の構成を示す斜視図である。
【図４（ｂ）】同上実施態様における把持筒の構成を示す平面図である。
【図４（ｃ）】同上実施態様における把持筒の構成を示す正面図である。
【図４（ｄ）】同上実施態様における把持筒の構成を示す側面図である。
【図４（ｅ）】同上実施態様における把持筒の構成を示す中央断面図である。
【図４（ｆ）】同上実施態様における把持筒の構成を示す、図４（ｅ）におけるＡ―Ａ線に沿う断面図である。
【図５】本発明の実施態様における散水ノズル１の側面図である。
【図６】同上実施態様における散水ノズル１の一部中央断面図である。
【図７（ａ）】図６の断面部分を拡大した図であり、把持筒組みつけの際の鉤状突起部７２と基準孔８１の位置関係を示している。
【図７（ｂ）】図６の断面部分を拡大した図であり、把持筒組みつけの際の鉤状突起部７２と基準孔８１の位置関係を示している。
【図７（ｃ）】図６の断面部分を拡大した図であり、把持筒組みつけの際の鉤状突起部７２と基準孔８１の位置関係を示している。
【図７（ｄ）】図５におけるＺ―Ｚ線に沿う断面部分を拡大した図であり、突起７３と段差部８２との係合状態を示している。
【図７（ｅ）】図５におけるＹ―Ｙ線に沿う断面部分を拡大した図であり、把持筒下方突起８３と切欠９１との係合状態を示している。
【図８】特許文献１における散水ノズルの斜視図である。なお、説明の都合上、水形表示マーク１１ａを展開して示している。
【符号の説明】
【００２５】
１    散水ノズル
２    吐出部
２ａ  表示マーク
３    ノズル本体
４    操作レバー
５    散水口
６    接続口
７    通水部
７１    リブ
７２    鉤状突起部
７２ａ  基部
７２ｂ  水平部
７２ｃ  表示部
７２ｄ  下垂部
７３    突起
７３ａ  通水部側斜面
７４    溝
７５    空間
８    把持筒
８ａ  円形部
８ｂ  把持筒グリップ部
８ｃ  中間部
８１    基準孔
８２    段差部
８２ａ  把持筒側斜面
８３    把持筒下方突起
８４    飾り溝
８５    側端部
９    弁体収容部
９１    切欠
１０    グリップ部
１１    吐出部
１１ａ  水形表示マーク     １２    ＳＥリング
１３    切替基準表示
【図１】
2006043583.tif 000003
【図２】
2006043583.tif 000004
【図３（ａ）】
2006043583.tif 000005
【図３（ｂ）】
2006043583.tif 000006
【図３（ｃ）】
2006043583.tif 000007
【図３（ｄ）】
2006043583.tif 000008
【図３（ｅ）】
2006043583.tif 000009
【図３（ｆ）】
2006043583.tif 000010
【図４（ａ）】
2006043583.tif 000011
【図４（ｂ）】
2006043583.tif 000012
【図４（ｃ）】
2006043583.tif 000013
【図４（ｄ）】
2006043583.tif 000014
【図４（ｅ）】
2006043583.tif 000015
【図４（ｆ）】
2006043583.tif 000016
【図５】
2006043583.tif 000017
【図６】
2006043583.tif 000018
【図７（ａ）】
2006043583.tif 000019
【図７（ｂ）】
2006043583.tif 000020
【図７（ｃ）】
2006043583.tif 000021
【図７（ｄ）】
2006043583.tif 000022
【図７（ｅ）】
2006043583.tif 000023
【図８】
2006043583.tif 000024